(57)【要約】 【課題】  各作業項目で作成すべき作成物および作業項目での作業手順を表示することができる作業支援情報表示装置および作業支援情報表示方法を提供する。【解決手段】  優先作業表示部１６は、選択されたプロジェクトのプロジェクトＩＤに対応付けられている作業ステップＩＤのうち、順序が最も早い作業ステップＩＤが示す作業ステップを構成する作業項目について、登録されていない作成文書を作成文書テーブル２５から抽出し、未登録の作成文書一覧として未登録作成文書ダイアログ３７に表示する。作業方法表示部１７は、未登録作成文書ダイアログ３７の未登録文書表示欄３７２に表示された未登録の作成文書一覧のうちから選択された作成文書の作業項目ＩＤに対応する作業手順書ＩＤの作業手順書を表わす作業手順書情報をディスプレイに表示する。【選択図】      図１
2009064347.tif 000002
【特許請求の範囲】
【請求項１】
作業を支援するための作業支援情報を表示する作業支援情報表示装置であって、
プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とを記憶する記憶手段と、
記憶手段に記憶されるプロジェクト情報が示すプロジェクトの中から、１つのプロジェクトを選択する選択手段と、
選択手段によって１つのプロジェクトが選択されたとき、記憶手段に記憶される作成物情報および作業手順情報のうち、記憶手段に記憶される登録情報が登録されていることを示していない作成物についての作成物情報および作業手順情報の中から、記憶手段に記憶される作業工程情報が示す作業工程で、かつ選択手段によって選択されたプロジェクトの作業工程のうち、時系列に実行すべき順序が最も早い作業工程で行われる作業項目で作成すべき作成物の作成物情報およびその作業項目での作業手順の作業手順情報を抽出する抽出手段と、
抽出手段よって抽出された作成物情報および作業手順情報を作業支援情報として表示する表示手段とを含むことを特徴とする作業支援情報表示装置。
【請求項２】
前記記憶手段は、前記作成物のフォーマットを作成物ごとに表すフォーマット情報をさらに記憶し、
前記表示手段は、前記作成物情報を表示するとき、その作成物情報が示す作成物のフォーマット情報とともに表示することを特徴とする請求項１に記載の作業支援情報表示装置。
【請求項３】
前記成果物の更新の回数を表わす更新情報を、成果物を表す成果物情報と対応付けて前記記憶手段に記憶させる成果物記憶制御手段をさらに含むことを特徴とする請求項１または２に記載の作業支援情報表示装置。
【請求項４】
前記選択手段によって１つのプロジェクトが選択されたとき、前記記憶手段に記憶される作業工程情報が示す作業工程で、かつ前記選択手段によって選択されたプロジェクトの作業工程の中から、１つの作業工程を選択する作業工程選択手段をさらに含み、
前記抽出手段は、作業工程選択手段によって作業工程が選択された場合は、前記記憶手段に記憶される作成物情報および作業手順情報のうち、前記記憶手段に記憶される登録情報が登録されていることを示していない作成物についての作成物情報および作業手順情報の中から、作業工程選択手段によって選択された作業工程で行われる作業項目で作成すべき作成物の作成物情報およびその作業項目での作業手順の作業手順情報を抽出することを特徴とする請求項１〜３のいずれか１つに記載の作業支援情報表示装置。
【請求項５】
作業を支援するための作業支援情報を表示する作業支援情報表示方法であって、
プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とを記憶する記憶部に記憶されるプロジェクト情報が示すプロジェクトの中から、１つのプロジェクトを選択する選択ステップと、
選択ステップで１つのプロジェクトが選択されると、記憶部に記憶される作成物情報および作業手順情報のうち、記憶部に記憶される登録情報が登録されていることを示していない作成物についての作成物情報および作業手順情報の中から、記憶部に記憶される作業工程情報が示す作業工程で、かつ選択ステップで選択されたプロジェクトの作業工程のうち、時系列に実行すべき順序が最も早い作業工程で行われる作業項目で作成すべき作成物の作成物情報およびその作業項目での作業手順の作業手順情報を抽出する抽出ステップと、
抽出ステップで抽出された作成物情報および作業手順情報を作業支援情報として表示する表示ステップとを含むことを特徴とする作業支援情報表示方法。
【発明の詳細な説明】
【技術分野】
【０００１】
本発明は、製品開発における作業項目を表示することができる作業支援情報表示装置および作業支援情報表示方法に関する。
【背景技術】
【０００２】
製品などの開発プロジェクトにおいて、作業の漏れが発生したり、作業の漏れが発生したりする結果としてプロジェクトが計画から遅れてしまうという問題が起こることがある。
【０００３】
この問題を解決するための従来の技術として、作業管理システムがある。この作業管理システムは、複数の作業ステップを有する製品開発などの作業について、作業ステップを記述したスケジュールファイルを生成しておく。生成されたスケジュールファイルが示す作業ステップの中から１つの作業ステップを選択すると、選択された作業ステップにおける作業項目のフローチャートを表示する。さらに表示された作業項目の中から１つの作業項目を選択すると、その作業項目に関連するツールおよび作業内容についてのガイドを表示する。作業内容についてのガイドには、帳票原紙ファイルについてのガイドも含まれる（たとえば特許文献１参照）。
【０００４】
【特許文献１】特開２００２−１４９７５４号公報
【発明の開示】
【発明が解決しようとする課題】
【０００５】
従来の技術は、作業ステップごとに作業項目のフローチャートを手順のガイドとして表示し、各作業項目のガイドを行う。そして、作業項目を選択すると、帳票原紙ファイルについてのガイドが行われるが、各作業項目で作成すべきすべての作成物および各作業項目での手順についてはガイドすることができないという問題がある。
【０００６】
本発明の目的は、各作業項目で作成すべき作成物および作業項目での作業手順を表示することができる作業支援情報表示装置および作業支援情報表示方法を提供することである。
【課題を解決するための手段】
【０００７】
本発明は、作業を支援するための作業支援情報を表示する作業支援情報表示装置であって、
プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とを記憶する記憶手段と、
記憶手段に記憶されるプロジェクト情報が示すプロジェクトの中から、１つのプロジェクトを選択する選択手段と、
選択手段によって１つのプロジェクトが選択されたとき、記憶手段に記憶される作成物情報および作業手順情報のうち、記憶手段に記憶される登録情報が登録されていることを示していない作成物についての作成物情報および作業手順情報の中から、記憶手段に記憶される作業工程情報が示す作業工程で、かつ選択手段によって選択されたプロジェクトの作業工程のうち、時系列に実行すべき順序が最も早い作業工程で行われる作業項目で作成すべき作成物の作成物情報およびその作業項目での作業手順の作業手順情報を抽出する抽出手段と、
抽出手段よって抽出された作成物情報および作業手順情報を作業支援情報として表示する表示手段とを含むことを特徴とする作業支援情報表示装置である。
【０００８】
また本発明は、前記記憶手段は、前記作成物のフォーマットを作成物ごとに表すフォーマット情報をさらに記憶し、
前記表示手段は、前記作成物情報を表示するとき、その作成物情報が示す作成物のフォーマット情報とともに表示することを特徴とする。
【０００９】
また本発明は、前記成果物の更新の回数を表わす更新情報を、成果物を表す成果物情報と対応付けて前記記憶手段に記憶させる成果物記憶制御手段をさらに含むことを特徴とする。
【００１０】
また本発明は、前記選択手段によって１つのプロジェクトが選択されたとき、前記記憶手段に記憶される作業工程情報が示す作業工程で、かつ前記選択手段によって選択されたプロジェクトの作業工程の中から、１つの作業工程を選択する作業工程選択手段をさらに含み、
前記抽出手段は、作業工程選択手段によって作業工程が選択された場合は、前記記憶手段に記憶される作成物情報および作業手順情報のうち、前記記憶手段に記憶される登録情報が登録されていることを示していない作成物についての作成物情報および作業手順情報の中から、作業工程選択手段によって選択された作業工程で行われる作業項目で作成すべき作成物の作成物情報およびその作業項目での作業手順の作業手順情報を抽出することを特徴とする。
【００１１】
また本発明は、作業を支援するための作業支援情報を表示する作業支援情報表示方法であって、
プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とを記憶する記憶部に記憶されるプロジェクト情報が示すプロジェクトの中から、１つのプロジェクトを選択する選択ステップと、
選択ステップで１つのプロジェクトが選択されると、記憶部に記憶される作成物情報および作業手順情報のうち、記憶部に記憶される登録情報が登録されていることを示していない作成物についての作成物情報および作業手順情報の中から、記憶部に記憶される作業工程情報が示す作業工程で、かつ選択ステップで選択されたプロジェクトの作業工程のうち、時系列に実行すべき順序が最も早い作業工程で行われる作業項目で作成すべき作成物の作成物情報およびその作業項目での作業手順の作業手順情報を抽出する抽出ステップと、
抽出ステップで抽出された作成物情報および作業手順情報を作業支援情報として表示する表示ステップとを含むことを特徴とする作業支援情報表示方法である。
【発明の効果】
【００１２】
本発明によれば、作業を支援するための作業支援情報を表示するにあたって、記憶手段によって、プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とが記憶される。
【００１３】
そして、選択手段によって、記憶手段に記憶されるプロジェクト情報が示すプロジェクトの中から、１つのプロジェクトが選択され、抽出手段によって、選択手段によって１つのプロジェクトが選択されたとき、記憶手段に記憶される作成物情報および作業手順情報のうち、記憶手段に記憶される登録情報が登録されていることを示していない作成物についての作成物情報および作業手順情報の中から、記憶手段に記憶される作業工程情報が示す作業工程で、かつ選択手段によって選択されたプロジェクトの作業工程のうち、時系列に実行すべき順序が最も早い作業工程で行われる作業項目で作成すべき作成物の作成物情報およびその作業項目での作業手順の作業手順情報が抽出され、表示手段によって、抽出手段よって抽出された作成物情報および作業手順情報が作業支援情報として表示される。
【００１４】
したがって、各作業項目で作成すべき作成物および作業項目での作業手順を表示することができる。
【００１５】
また本発明によれば、作業を支援するための作業支援情報を表示するにあたって、選択ステップでは、プロジェクトを表すプロジェクト情報と、時系列に実行すべき順序が付与された複数の工程からなる作業の作業工程をプロジェクトごとに表す作業工程情報と、各作業工程で行われる作業の作業項目で作成すべき作成物を作業項目ごとに表す作成物情報と、各作業項目での作業の作業手順を作業項目ごとに表す作業手順情報と、作成された作成物である成果物が登録されていることを作成物ごとに表す登録情報とを記憶する記憶部に記憶されるプロジェクト情報が示すプロジェクトの中から、１つのプロジェクトを選択する。
【００１６】
抽出ステップでは、選択ステップで１つのプロジェクトが選択されると、記憶部に記憶される作成物情報および作業手順情報のうち、記憶部に記憶される登録情報が登録されていることを示していない作成物についての作成物情報および作業手順情報の中から、記憶部に記憶される作業工程情報が示す作業工程で、かつ選択ステップで選択されたプロジェクトの作業工程のうち、時系列に実行すべき順序が最も早い作業工程で行われる作業項目で作成すべき作成物の作成物情報およびその作業項目での作業手順の作業手順情報を抽出する。
【００１７】
そして、表示ステップでは、抽出ステップで抽出された作成物情報および作業手順情報を作業支援情報として表示する。したがって、本発明に係る作業支援情報表示方法を適用すれば、各作業項目で作成すべき作成物および作業項目での作業手順を表示することができる。
【発明を実施するための最良の形態】
【００１８】
図１は、本発明の実施の一形態である作業方法表示装置１の構成を示すブロック図である。本発明に係る作業支援情報表示方法は、作業支援情報表示装置である作業方法表示装置１によって処理される。
【００１９】
作業方法表示装置１は、たとえばコンピュータによって構成される。作業方法表示装置１を構成するコンピュータは、キーボードおよびマウスなどの入力装置と、ディスプレイなどの表示装置あるいはプリンタなどの印刷装置を含む出力装置と、通信回線たとえばＬＡＮ（Local Area Network）を介して情報を送受信する通信装置と、半導体メモリあるいはハードディスク装置によって構成され、プログラムおよびデータを記憶する記憶装置と、記憶装置に記憶されるプログラムを実行して、入力装置、出力装置、および通信装置を制御する中央処理装置（Central Processing Unit：以下「ＣＰＵ」という）とを含む。プログラムは、作業方法表示装置１を制御するためのプログラムであり、ＯＳ（        Operating System）およびアプリケーションプログラムを含んでもよい。コンピュータは、一般的に知られているコンピュータでよく、詳細な説明は省略する。
【００２０】
作業方法表示装置１は、作業ステップ情報記憶部１１、作業項目記憶部１２、作業方法記憶部１３、作業項目成果情報書式記憶部１４、作業項目成果情報記録部１５、優先作業表示部１６および作業方法表示部１７を含んで構成される。
【００２１】
作業項目成果情報記録部１５、優先作業表示部１６および作業方法表示部１７は、コンピュータに含まれる記憶装置に記憶される作業方法表示装置１を制御するためのプログラムを、ＣＰＵが実行することによって実現される機能である。作業ステップ情報記憶部１１、作業項目記憶部１２、作業方法記憶部１３および作業項目成果情報書式記憶部１４は、コンピュータに含まれる記憶装置に含まれるが、個々の独立した記憶装置によって構成してもよい。
【００２２】
記憶手段および記憶部である作業ステップ情報記憶部１１は、開発などを行うプロジェクトを表すプロジェクト情報をプロジェクトテーブル２１として、そして、各プロジェクトで時系列順に行われる複数の工程からなる作業の作業ステップを表す作業ステップ情報を作業ステップテーブル２２として記憶する。作業ステップは、作業工程であり、作業ステップ情報は、作業工程情報である。
【００２３】
図２は、プロジェクトテーブル２１のデータ構造２１ａと作業ステップテーブル２２のデータ構造２２ａとの対応関係を示す図である。プロジェクトテーブル２１のデータ構造２１ａおよび作業ステップテーブル２２のデータ構造２２ａはいずれも、「Ｎｏ．」および「名称」の２つの項目を含む。
【００２４】
プロジェクトテーブル２１のデータ構造２１ａは、プロジェクトごとに、Ｎｏ．１の名称として「プロジェクトＩＤ（Identification）」という項目があり、Ｎｏ．２の名称として「プロジェクト名」という項目があることを示している。「プロジェクトＩＤ」は、各プロジェクトを数字で識別するための情報であり、自然数の数字が「１」から上昇順に付与される。「プロジェクト名」は、各プロジェクトを名称で識別するための情報であり、たとえば文字、数字および記号を含む１キャラクタ以上のキャラクタ列で表される。
【００２５】
作業ステップテーブル２２のデータ構造２２ａは、作業ステップごとに、Ｎｏ．１の名称として「作業ステップＩＤ」という項目があり、Ｎｏ．２の名称として「プロジェクトＩＤ」という項目があり、Ｎｏ．３の名称として「作業ステップ名」という項目があり、Ｎｏ．４の名称として「順序」という項目があることを示している。「作業ステップＩＤ」は、各作業ステップを数字で識別するための情報であり、自然数の数字が「１」から上昇順に付与される。「プロジェクトＩＤ」は、作業ステップＩＤによって識別される作業ステップの作業が行われるプロジェクトのプロジェクトＩＤである。「作業ステップ名」は、各作業ステップを名称で識別するための情報であり、１キャラクタ以上のキャラクタ列で表される。「順序」は、プロジェクトＩＤが示すプロジェクトで行われる各作業ステップの順序を表すための自然数であり、順序「１」が最も早く行われることを示し、以下上昇順に各作業ステップが行われる。
【００２６】
プロジェクトテーブル２１と作業ステップテーブル２２とは、「１対多」の関係であり、プロジェクトテーブル２１に含まれるプロジェクトＩＤのうちの１つのプロジェクトＩＤについて、少なくとも１つの作業ステップＩＤがある。すなわち、１つのプロジェクトについて少なくとも１つの作業ステップがある。
【００２７】
図３は、プロジェクトテーブル２１の一例を示す図である。プロジェクトＩＤ「１」のプロジェクト名は「液晶テレビ開発プロジェクト」であり、プロジェクトＩＤ「２」のプロジェクト名は「ソフトウエア開発プロジェクト」である。
【００２８】
図４は、作業ステップテーブル２２の一例を示す図である。各「作業ステップＩＤ」についての「プロジェクトＩＤ」、「作業ステップ名」および「順序」は、それぞれ、作業ステップＩＤ「１」については、「１」、「デザイン」および「１」であり、作業ステップＩＤ「２」については、「１」、「設計」および「２」であり、作業ステップＩＤ「３」については、「１」、「出図」および「３」であり、作業ステップＩＤ「４」については、「１」、「１次試作」および「４」であり、作業ステップＩＤ「５」については、「１」、「２次試作」および「５」であり、作業ステップＩＤ「６」については、「１」、「量産試作」および「６」であり、作業ステップＩＤ「７」については、「１」、「出荷」および「７」である。
【００２９】
さらに、作業ステップＩＤ「８」については、「２」、「仕様書作成」および「１」であり、作業ステップＩＤ「９」については、「２」、「ＤＢ（Database）設計」および「３」であり、作業ステップＩＤ「１０」については、「２」、「コーディング」および「５」であり、作業ステップＩＤ「１１」については、「２」、「デバッグ」および「７」であり、作業ステップＩＤ「１２」については、「２」、「テスト」および「９」であり、作業ステップＩＤ「１３」については、「２」、「出荷」および「１１」である。
【００３０】
作業項目記憶部１２は、各作業ステップを構成する作業項目を表す作業項目情報を作業項目テーブル２３として記憶する。
【００３１】
図５は、作業項目テーブル２３のデータ構造２３ａを示す図である。作業項目テーブル２３のデータ構造２３ａも、「Ｎｏ．」および「名称」の２つの項目を含む。作業項目テーブル２３のデータ構造２３ａは、作業項目ごとに、Ｎｏ．１の名称として「作業項目ＩＤ」という項目があり、Ｎｏ．２の名称として「作業項目名」という項目があり、Ｎｏ．３の名称として「作業概要」という項目があり、Ｎｏ．４の名称として「作業ステップＩＤ」という項目があることを示している。
【００３２】
「作業項目ＩＤ」は、各作業項目を数字で識別するための情報であり、自然数の数字が「１」から上昇順に付与される。「作業項目名」は、各作業項目を名称で識別するための情報であり、１キャラクタ以上のキャラクタ列で表される。「作業概要」は、各作業項目での作業の概要を表す情報である。「作業ステップＩＤ」は、各作業項目が構成する作業ステップの作業ステップＩＤである。
【００３３】
図６は、作業項目テーブル２３の一例を示す図である。各「作業項目ＩＤ」についての「作業項目名」、「作業概要」および「作業ステップＩＤ」は、それぞれ、作業項目ＩＤ「１」については「製品仕様決定」、「製品の大きさおよび形状などの仕様を決定する」および「１」であり、作業項目ＩＤ「２」については「デザイン作成」、「デザインＣＡＤ（Computer Aided Design）を用いてデザインし、デザインを作成する」および「１」であり、作業項目ＩＤ「３」については「強度計算」、「製品の強度を計算し、肉厚およびリブの配置などを決定する」および「２」であり、作業項目ＩＤ「４」については「３次元ＣＡＤ設計」、「３次元ＣＡＤを用いて、詳細設計をする」および「２」であり、作業項目ＩＤ「５」については「組立性チェック」、「製品の組立性を検証する」および「３」である。
【００３４】
記憶手段および記憶部である作業方法記憶部１３は、各作業項目での作業手順を表す作業手順情報を作業手順書テーブル２４として記憶する。
【００３５】
図７は、作業手順書テーブル２４のデータ構造２４ａを示す図である。作業手順書テーブル２４のデータ構造２４ａも、「Ｎｏ．」および「名称」の２つの項目を含む。作業手順書テーブル２４のデータ構造２４ａは、作業手順書ごとに、Ｎｏ．１の名称として「作業手順書ＩＤ」という項目があり、Ｎｏ．２の名称として「作業項目ＩＤ」という項目があり、Ｎｏ．３の名称として「文書アドレス」という項目があることを示している。
【００３６】
「作業手順書ＩＤ」は、各作業手順書を数字で識別するための情報であり、自然数の数字が「１」から上昇順に付与される。「作業項目ＩＤ」は、各作業手順書が用いられる作業項目の作業項目ＩＤである。「文書アドレス」は、作業手順書ＩＤが示す作業手順書の作業手順書情報が記憶されているアドレスを示す。この文書アドレスから作業手順書情報を読み出して表示することによって、作業手順書の内容を閲覧することができる。
【００３７】
図８は、作業手順書テーブル２４の一例を示す図である。各「作業手順書ＩＤ」についての「作業項目ＩＤ」および「文書アドレス」は、それぞれ、作業手順書ＩＤ「１」については「１」および「Ｃ：￥ｄｏｃ￥１．ｄｏｃ」であり、作業手順書ＩＤ「２」については「２」および「Ｃ：￥ｄｏｃ￥２．ｄｏｃ」であり、作業手順書ＩＤ「３」については「３」および「Ｃ：￥ｄｏｃ￥３．ｄｏｃ」であり、作業手順書ＩＤ「４」については「４」および「Ｃ：￥ｄｏｃ￥４．ｄｏｃ」であり、作業手順書ＩＤ「５」については「５」および「Ｃ：￥ｄｏｃ￥５．ｄｏｃ」である。
【００３８】
記憶手段および記憶部である作業項目成果情報書式記憶部１４は、各作業項目において作成すべき作成文書を表す作成文書情報を作成文書テーブル２５として記憶し、作成された文書である成果物を表す成果物情報を記憶する。作成文書は、作成物であり、作成文書情報は、作成物情報である。
【００３９】
図９は、作成文書テーブル２５のデータ構造２５ａを示す図である。作成文書テーブル２５のデータ構造２５ａも、「Ｎｏ．」および「名称」の２つの項目を含む。作成文書テーブル２５のデータ構造２５ａは、作成文書ごとに、Ｎｏ．１の名称として「作成文書ＩＤ」という項目があり、Ｎｏ．２の名称として「作業項目ＩＤ」という項目があり、Ｎｏ．３の名称として「作成文書名」という項目があり、Ｎｏ．５の名称として「登録状況」という項目があり、Ｎｏ．６の名称として「作成文書アドレス」という項目があることを示している。
【００４０】
「作成文書ＩＤ」は、各作成文書を数字で識別するための情報であり、自然数の数字が「１」から上昇順に付与される。「作業項目ＩＤ」は、各作成文書が作成される作業項目の作業項目ＩＤである。「作成文書名」は、各作成文書を名称で識別するための情報であり、１キャラクタ以上のキャラクタ列で表される。
【００４１】
登録情報である「登録状況」は、作成された作成文書つまり成果物が登録されているか否かを示す情報である。未登録の場合は「０」を、登録済みの場合は「１」を記憶し、初期状態では「０」を予め記憶しておく。「作成文書アドレス」は、作成された作成文書の成果物情報のファイルが記憶されるアドレスを示す。
【００４２】
図１０は、作成文書テーブル２５の一例を示す図である。各「作成文書ＩＤ」についての「作業項目ＩＤ」、「作成文書名」および「登録状況」は、それぞれ、作成文書ＩＤ「１」については「１」、「製品仕様書」および「０」であり、作成文書ＩＤ「２」については「２」、「デザイン図面」および「０」であり、作成文書ＩＤ「３」については「３」、「強度計算結果」および「０」であり、作成文書ＩＤ「４」については「３」、「リブ配置図面」および「０」であり、作成文書ＩＤ「５」については「４」、「設計図面」および「０」である。「作成文書アドレス」は、いずれの「作成文書ＩＤ」についても記載されていない。
【００４３】
図１１は、登録が行われた作成文書テーブル２５の一例を示す図である。作成文書ＩＤ「１」〜「５」のうち作成文書ＩＤ「１」の「登録状況」および「作成文書アドレス」のみが、図１０に示した作成文書テーブル２５から更新されている。具体的には、「登録状況」が「１」に更新され、「作成文書アドレス」に「Ｃ：￥ｄｏｃ￥製品仕様書．ｄｏｃ」と記載されている。製品仕様書のファイルが登録されていることを示している。
【００４４】
図１２は、各テーブルの対応関係を示す図である。プロジェクトテーブル２１と作業ステップテーブル２２とは、「１対多」の関係であり、プロジェクトテーブル２１に含まれるプロジェクトＩＤのうちの１つのプロジェクトＩＤについて、少なくとも１つの作業ステップＩＤがある。すなわち、１つのプロジェクトについて少なくとも１つの作業ステップがある。
【００４５】
作業ステップテーブル２２と作業項目テーブル２３は「１対多」の関係であり、作業ステップテーブル２２に含まれる作業ステップＩＤのうちの１つの作業ステップＩＤについて、少なくとも１つの作業項目ＩＤがある。すなわち、１つの作業ステップについて少なくとも１つの作業項目がある。
【００４６】
作業項目テーブル２３と作業手順書テーブル２４は「１対多」の関係であり、作業項目テーブル２３に含まれる作業項目ＩＤのうちの１つの作業項目ＩＤについて、少なくとも１つの作業手順書ＩＤがある。すなわち、１つの作業項目について少なくとも１つの作業手順書がある。
【００４７】
作業項目テーブル２３と作成文書テーブル２５は「１対多」の関係であり、作業項目テーブル２３に含まれる作業項目ＩＤのうちの１つの作業項目ＩＤについて、少なくとも１つの作成文書ＩＤがある。すなわち、１つの作業項目について少なくとも１つの作業文書がある。
【００４８】
作業方法表示装置１は、電源が投入され動作可能になると、メインメニューをディスプレイに表示し、ユーザは、マウスなどによってメインメニューの中から所望するメニューを選択することができる。
【００４９】
成果物記憶制御手段である作業項目成果情報記録部１５は、メインメニューから、作成した作成文書である成果物を登録するための成果物登録のメニューが選択されると、処理を開始する。作業項目成果情報記録部１５は、成果物である作成された作成文書を登録する処理を行う。
【００５０】
先ず、作業ステップ情報記憶部１１に記憶されるプロジェクトテーブル２１のプロジェクト情報をディスプレイに表示する。ユーザがマウスなどによって、表示されたプロジェクト情報が示すプロジェクトの中から目的のプロジェクトを選択すると、作業ステップ情報記憶部１１に記憶される作業ステップテーブル２２から、選択されたプロジェクトのプロジェクトＩＤに対応付けられている作業ステップＩＤの作業ステップ情報を抽出し、抽出した作業ステップ情報をディスプレイに表示する。
【００５１】
次に、ユーザがマウスなどによって、表示された作業ステップ情報が示す作業ステップの中から、目的の作業ステップを選択すると、作業項目成果情報記録部１５は、作業項目記憶部１２に記憶される作業項目テーブル２３から、選択された作業ステップの作業ステップＩＤに対応付けられている作業項目ＩＤの作業項目情報を表示する。ユーザがマウスなどによって、表示された作業項目情報が示す作業項目の中から、目的の作業項目を選択すると、作業項目成果情報書式記憶部１４に記憶される作成文書テーブル２５から、選択された作業項目の作業項目ＩＤに対応付けられている作成文書ＩＤの作成文書情報を表示する。
【００５２】
さらに、ユーザがマウスなどによって、表示された作成文書情報が示す作成文書の中から、目的の作成文書を選択すると、選択された作成文書を登録するための投稿ダイアログ３１をディスプレイに表示する。
【００５３】
図１３は、作業項目成果情報記録部１５によって表示される投稿ダイアログ３１の一例を示す図である。
【００５４】
投稿ダイアログ３１には、登録情報表示欄３１１、登録ディレクトリ入力欄３１２、参照ボタン３１３、登録ボタン３１４およびキャンセルボタン３１５が表示される。登録情報表示欄３１１は、プロジェクト名、作業ステップ名、作業項目名および作成文書名の４つの項目があり、それぞれユーザが選択したプロジェクトのプロジェクト名、作業ステップの作業ステップ名、作業項目の作業項目名、および作成文書の作成文書名が表示される。登録ディレクトリ入力欄３１２は、登録情報表示欄３１１に表示された作成文書を登録するディレクトリおよびファイル名を入力する入力欄であり、「ファイル名」と付記されている。
【００５５】
参照ボタン３１３は、作成文書参照ダイアログ３２を表示するための操作ボタンである。登録ボタン３１４は、登録情報表示欄３１１に表示された作成文書を、登録ディレクトリ入力欄３１２に入力されたディレクトリおよびファイル名で登録することを指示する操作ボタンである。キャンセルボタン３１５は、登録を行わずに、投稿ダイアログ３１を終了することを指示する操作ボタンである。操作ボタンは、たとえば画面に表示されるポインタをマウスによって操作したい操作ボタンに移動し、マウスの左ボタンをクリックすることによって押下することができる。
【００５６】
図１３に示した投稿ダイアログ３１の登録情報表示欄３１１には、プロジェクト名として「液晶テレビ開発プロジェクト」、作業ステップ名として「デザイン」、作業項目名として「製品仕様決定」、および作成文書名として「製品仕様書」が示されている。
【００５７】
図１４は、参照ボタン３１３の押下によって表示される作成文書参照ダイアログ３２の一例を示す図である。作成文書参照ダイアログ３２は、登録するディレクトリおよびファイル名を指定するためのダイアログである。
【００５８】
作成文書参照ダイアログ３２には、ディレクトリ選択欄３２１、ファイル名選択欄３２２、ファイル名入力欄３２３、ファイルの種類選択欄３２４、選択ボタン３２５およびキャンセルボタン３２６が表示される。ディレクトリ選択欄３２１は、プルダウンメニューになっており、「ファイルの場所」と付記されている。プルダウンメニューに表示されるディレクトリの中から、登録するディレクトリを選択することができる。ファイル名選択欄３２２は、ディレクトリ選択欄３２１で選択されたディレクトリに記憶されているファイルのファイル名一覧が表示され、表示されたファイル名一覧の中から所望のファイル名を選択することができる。
【００５９】
ファイル名入力欄３２３は、ファイル名選択欄３２２に所望のファイル名がないとき、ディレクトリおよびファイル名を直接入力するための入力欄である。ファイルの種類選択欄３２４は、ファイル名入力欄３２３で入力されたファイル名のファイルの種類を選択する選択欄である。ファイルの種類選択欄３２４は、プルダウンメニューになっており、プルダウンメニューに表示されるファイルの種類の中から選択することができる。選択ボタン３２５は、選択あるいは入力したディレクトリおよびファイル名を選択することを指示する操作ボタンである。キャンセルボタン３２６は、選択を行わずに、作成文書参照ダイアログ３２を終了することを指示する操作ボタンである。
【００６０】
図１４に示した作成文書参照ダイアログ３２には、ディレクトリ選択欄３２１に「Ｄ：￥液晶テレビ」と示され、ファイル名選択欄３２２に「製品仕様書．ｄｏｃ」と示されている。
【００６１】
図１５は、ファイル名が入力された投稿ダイアログ３３の一例を示す図である。図１４に示した作成文書参照ダイアログ３２で選択されたディレクトリとファイル名とが、登録ディレクトリ入力欄３１２に「Ｄ：￥液晶テレビ￥製品仕様書．ｄｏｃ」と示されている。
【００６２】
作業項目成果情報記録部１５は、投稿ダイアログ３１で登録ボタン３１４が押下されると、登録が指示された作成文書の作成文書テーブル２５の登録状況を参照して、登録が指示された作成文書の登録状況を確認する。
【００６３】
作業項目成果情報記録部１５は、作成文書テーブル２５の登録状況が「０」であると、つまり未登録であると、登録が指示された作成文書の作成文書情報をファイルとして記憶装置に記憶して保存するとともに、作成文書テーブル２５の登録状況を「１」とし、作成文書情報のファイルを記憶した記憶装置のメモリアドレスを作成文書テーブル２５の作成文書アドレスに記憶する。文書を保存するためのサーバがある場合は、記憶装置の代わりにサーバに保存してもよい。作成文書テーブル２５の登録状況が「１」であると、登録済みである旨、および上書きするかキャンセルするかを問い合わせるメッセージをディスプレイに表示する。
【００６４】
図１６は、作業項目成果情報記録部１５によって表示される上書き確認ダイアログ３４の一例を示す図である。上書き確認ダイアログ３４には、「既に文書が登録済みです。上書きしますか？」というメッセージを表示するメッセージ表示欄３４１、「はい」ボタン３４２および「いいえ」ボタン３４３が表示される。「はい」ボタン３４２は、上書きを指示する操作ボタンであり、「いいえ」ボタン３４３は、上書きしないことを指示する操作ボタンである。
【００６５】
作業項目成果情報記録部１５は、「はい」ボタン３４２が押下されると、登録が指示された作成文書の作成文書情報をファイルとして作成文書テーブル２５の作成文書アドレスが示すメモリアドレスに上書きする。「いいえ」ボタン３４３が押下されると、登録を中止した旨のメッセージをディスプレイに表示する。
【００６６】
図１７は、作業項目成果情報記録部１５によって表示される登録中止通知ダイアログ３５の一例を示す図である。登録中止通知ダイアログ３５には、「登録を中止しました」というメッセージを表示するメッセージ表示欄３５１および「閉じる」ボタン３５２が表示される。「閉じる」ボタン３５２は、登録中止通知ダイアログ３５を閉じる操作ボタンである。作業項目成果情報記録部１５は、「閉じる」ボタン３５２が押下されると、処理を終了する。
【００６７】
選択手段、抽出手段および表示手段である優先作業表示部１６は、メインメニューから、作業支援情報の表示を行うための作業支援のメニューが選択されると、処理を開始する。先ず、作業ステップ情報記憶部１１に記憶されるプロジェクトテーブル２１のプロジェクト情報をディスプレイに表示する。ユーザがマウスなどによって、表示されたプロジェクト情報が示すプロジェクトの中から所望するプロジェクトを選択すると、作業ステップ情報記憶部１１に記憶される作業ステップテーブル２２から、選択されたプロジェクトのプロジェクトＩＤに対応付けられている作業ステップＩＤが１つ以上登録されているか否かを判断する。作業ステップＩＤが登録されていないと、作業ステップが未登録である旨のメッセージを表示する。
【００６８】
図１８は、優先作業表示部１６によって表示される作業ステップ未登録通知ダイアログ３６の一例を示す図である。作業ステップ未登録通知ダイアログ３６には、「作業ステップは未登録です」というメッセージを表示するメッセージ表示欄３６１および「閉じる」ボタン３６２が表示される。「閉じる」ボタン３６２は、作業ステップ未登録通知ダイアログ３６を閉じる操作ボタンである。優先作業表示部１６は、「閉じる」ボタン３６２が押下されると、処理を終了する。
【００６９】
優先作業表示部１６は、選択されたプロジェクトのプロジェクトＩＤに対応付けられている作業ステップＩＤが、作業ステップテーブル２２に１つ以上登録されていると、選択されたプロジェクトのプロジェクトＩＤに対応付けられている作業ステップＩＤのうち順序が最も早い作業ステップＩＤを取得する。次に、作業項目記憶部１２に記憶される作業項目テーブル２３に、取得した作業ステップＩＤに対応付けられている作業項目ＩＤが１つ以上登録されているか否かを判断する。取得した作業ステップＩＤに対応付けられている作業項目ＩＤが１つ以上登録されている場合は、作業項目成果情報書式記憶部１４に記憶される作成文書テーブル２５に、その登録されている作業項目ＩＤに対応する作成文書ＩＤが１つ以上登録されているか否かを判断する。
【００７０】
優先作業表示部１６は、前記登録されている作業項目ＩＤに対応する作成文書ＩＤが１つ以上登録されている場合は、その登録されているすべての作成文書ＩＤについての作成文書テーブル２５の登録状況が「１」であるか否かを判断する。すべての作成文書ＩＤについての登録状況が「１」でない場合は、登録状況が「０」であるすべての作成文書名を作業支援情報としてディスプレイに表示する。
【００７１】
図１９は、優先作業表示部１６によって表示される未登録作成文書ダイアログ３７の一例を示す図である。未登録作成文書ダイアログ３７には、プロジェクト名表示欄３７１、未登録文書表示欄３７２、手順書表示ボタン３７３、文書投稿ボタン３７４および閉じるボタン３７５が表示される。
【００７２】
プロジェクト名表示欄３７１は、「プロジェクト名」と付記され、ユーザによって選択されたプロジェクトのプロジェクト名が表示される。未登録文書表示欄３７２は、未登録の作成文書一覧を表示するための表示欄であり、「作業ステップ」、「作業項目」および「作成すべき文書」の３つの項目がある。「作業ステップ」には、優先して作業すべき作業ステップ名が表示され、「作業項目」には、未登録の作成文書がある作業項目の作業項目名が表示され、「作成すべき文書」には、その作業項目名の作業項目で作成すべき未登録の作成文書の作成文書名が表示される。
【００７３】
手順書表示ボタン３７３は、未登録文書表示欄３７２に表示された未登録の作成文書一覧の中から選択された作成すべき文書に対応する作業項目の作業手順書の表示を指示する操作ボタンである。文書投稿ボタン３７４は、投稿ダイアログ３１を表示する操作ボタンである。「閉じる」ボタン３７５は、未登録作成文書ダイアログ３７を閉じる操作ボタンである。
【００７４】
図１９に示した未登録作成文書ダイアログ３７のプロジェクト名表示欄３７１には、「液晶テレビ開発プロジェクト」というプロジェクト名が示され、未登録文書表示欄３７２には、作業ステップ「デザイン」、作業項目「デザイン作成」、および作成すべき文書「デザイン図面」が示されている。
【００７５】
優先作業表示部１６は、作業項目ＩＤが１つ以上登録されていない場合、作成文書ＩＤが１つ以上登録されていない場合、またはすべての作成文書ＩＤの登録状況が「１」である場合は、作業ステップテーブル２２から、選択されたプロジェクトのプロジェクトＩＤに対応付けられている作業ステップＩＤのうち、次の順序の作業ステップＩＤを取得し、取得した作業ステップＩＤで、未登録の作成文書があるか否かについて、上述した処理と同様の処理を行う。
【００７６】
抽出手段および表示手段である作業方法表示部１７は、未登録作成文書ダイアログ３７の未登録文書表示欄３７２に表示された未登録の作成文書一覧のうちから１つの作成文書が選択されて、手順書表示ボタン３７３が押下されると、選択された作成文書の作成文書ＩＤに対応する作業項目ＩＤを、作成文書テーブル２５から取得する。そして、取得した作業項目ＩＤに対応する作業手順書ＩＤの文書アドレスを、作業手順書テーブル２４から取得し、取得した文書アドレスに記憶されている作業手順書情報を読み出して、作業支援情報としてディスプレイに表示する。
【００７７】
図２０は、作業項目成果情報記録部１５が実行する作成文書登録処理の処理手順を示すフローチャートである。メインメニューから成果物登録のメニューが選択されると、ステップＡ１に移る。
【００７８】
ステップＡ１では、作業ステップ情報記憶部１１に記憶されるプロジェクトテーブル２１のプロジェクト情報をディスプレイに表示する。ユーザがマウスなどによって、表示されたプロジェクト情報が示すプロジェクトの中から、プロジェクトを選択したか否かを判定する。プロジェクトを選択しないと、ステップＡ１に戻り、プロジェクトを選択すると、ステップＡ２に進む。ステップＡ２では、作業ステップをすべて取得する。具体的には、作業ステップ情報記憶部１１に記憶される作業ステップテーブル２２から、選択されたプロジェクトのプロジェクトＩＤに対応付けられているすべての作業ステップＩＤの作業ステップ情報を取得する。
【００７９】
ステップＡ３では、ステップＡ２で取得された作業ステップＩＤの作業ステップ情報をディスプレイに表示する。ユーザがマウスなどによって、表示された作業ステップ情報が示す作業ステップの中から、作業ステップを選択したか否かを判定する。作業ステップを選択しないと、ステップＡ３に戻り、作業ステップを選択すると、ステップＡ４に進む。ステップＡ４では、作業ステップに所属する作業項目をすべて取得する。具体的には、作業項目記憶部１２に記憶される作業項目テーブル２３から、選択された作業ステップの作業ステップＩＤに対応付けられているすべての作業項目ＩＤの作業項目情報を取得する。
【００８０】
ステップＡ５では、ステップＡ４で取得された作業項目ＩＤの作業項目情報をディスプレイに表示する。ユーザがマウスなどによって、表示された作業項目情報が示す作業項目の中から、作業項目を選択したか否かを判定する。作業項目を選択しないと、ステップＡ５に戻り、作業項目を選択すると、ステップＡ６に進む。ステップＡ６では、作業項目に所属する作成文書をすべて取得する。具体的には、作業項目成果情報書式記憶部１４に記憶される作成文書テーブル２５から、選択された作業項目の作業項目ＩＤに対応付けられているすべての作成文書ＩＤの作成文書情報を取得する。
【００８１】
ステップＡ７では、ステップＡ６で取得された作成文書ＩＤの作成文書情報をディスプレイに表示する。ユーザがマウスなどによって、表示された作成文書情報が示す作成文書の中から、登録する作成文書を選択したか否かを判定する。登録する作成文書を選択しないと、ステップＡ７に戻り、登録する作成文書を選択すると、ステップＡ８に進む。ステップＡ８では、投稿ダイアログ３１をディスプレイに表示する。
【００８２】
ステップＡ９では、ユーザがマウスなどによって、投稿ダイアログ３１で登録するファイルを選択したか否かを判定する。登録するファイルを選択しないと、ステップＡ９に戻り、登録するファイルを選択すると、ステップＡ１０に進む。ステップＡ１０では、ユーザがマウスなどによって、投稿ダイアログ３１で登録ボタン３１４を押下したか否かを判定する。登録ボタン３１４を押下しないと、ステップＡ１０に戻り、登録ボタン３１４を押下すると、ステップＡ１１に進む。
【００８３】
ステップＡ１１では、登録を指示された作成文書が登録済みか否かを判定する。投稿ダイアログ３１で登録を指示された作成文書の作成文書名と同じ作成文書名の作成文書テーブル２５の登録状況が「０」であると、登録を指示された作成文書が登録済みでないと判定して、ステップＡ１２に進む。投稿ダイアログ３１で登録を指示された作成文書の作成文書名と同じ作成文書名の作成文書テーブル２５の登録状況が「１」であると、登録を指示された作成文書が登録済みであると判定して、ステップＡ１４に進む。
【００８４】
ステップＡ１２では、登録が指示された作成文書の作成文書情報をファイルとして記憶装置に記憶して保存する。ステップＡ１３では、作成文書テーブル２５の登録状況を「１」とし、作成文書のファイルを記憶した記憶装置のメモリアドレスを作成文書テーブル２５の作成文書アドレスに記憶して登録し、作成文書登録処理を終了する。
【００８５】
ステップＡ１４では、登録済みである旨、および上書きするかキャンセルするかを問い合わせるメッセージを、上書き確認ダイアログ３４に表示する。ステップＡ１５では、ユーザが上書きを選択したか否かを判定する。上書き確認ダイアログ３４の「はい」ボタン３４２が押下されると、ユーザが上書きを選択したと判定して、ステップＡ１６に進み、上書き確認ダイアログ３４の「いいえ」ボタン３４３が押下されると、ユーザが上書きを選択しないと判定して、ステップＡ１７に進む。
【００８６】
ステップＡ１６では、既存ファイルを削除して、具体的には、作成文書テーブル２５の作成文書アドレスに記憶されているファイルを消去して、ステップＡ１２に進む。ステップＡ１７では、登録を中止した旨のメッセージを登録中止通知ダイアログ３５に表示し、登録中止通知ダイアログ３５で「閉じる」ボタン３５２が押下されると、作成文書登録処理を終了する。
【００８７】
図２１は、優先作業表示部１６が実行する未登録文書表示処理の処理手順を示すフローチャートである。メインメニューから作業支援のメニューが選択されると、ステップＢ１に移る。
【００８８】
選択ステップであるステップＢ１では、作業ステップ情報記憶部１１に記憶されるプロジェクトテーブル２１のプロジェクト情報をディスプレイに表示する。ユーザがマウスなどによって、表示されたプロジェクト情報が示すプロジェクトの中から、プロジェクトを選択したか否かを判定する。プロジェクトを選択しないと、ステップＢ１に戻り、プロジェクトを選択すると、ステップＢ２に進む。ステップＢ２では、作業ステップをすべて取得する。具体的には、作業ステップ情報記憶部１１に記憶される作業ステップテーブル２２から、選択されたプロジェクトのプロジェクトＩＤに対応付けられているすべての作業ステップＩＤの作業ステップ情報を取得する。
【００８９】
ステップＢ３では、作業ステップが１つ以上登録されているか否かを判定する。ステップＢ２で取得した作業ステップ情報に作業ステップＩＤが１つ以上登録されていないと、作業ステップが１つ以上登録されていないと判定し、ステップＢ１３に進む。ステップＢ２で取得した作業ステップ情報に作業ステップＩＤが１つ以上登録されていると、作業ステップが１つ以上登録されていると判定し、ステップＢ４に進む。ステップＢ４では、作業ステップのうち順序が最も早い作業ステップを取得する。具体的には、ステップＢ２で取得した作業ステップ情報が示す作業ステップＩＤのうち順序が最も早い作業ステップＩＤを取得する。
【００９０】
ステップＢ５では、作業ステップに所属する作業項目をすべて取得する。具体的には、作業項目テーブル２３から、取得した作業ステップＩＤに対応付けられているすべての作業項目ＩＤを取得する。ステップＢ６では、作業項目が１つ以上登録されているか否かを判定する。取得した作業ステップＩＤに対応付けられている作業項目ＩＤが１つ以上登録されていると、作業項目が１つ以上登録されていると判定し、ステップＢ７に進む。取得した作業ステップＩＤに対応付けられている作業項目ＩＤが１つ以上登録されていないと、作業項目が１つ以上登録されていないと判定し、ステップＢ１２に進む。
【００９１】
ステップＢ７では、作業項目に所属する作成文書をすべて取得する。具体的には、作成文書テーブル２５から、ステップＢ５で取得した作業項目ＩＤに対応付けられているすべての作業文書ＩＤを取得する。ステップＢ８では、作成文書が１つ以上登録されているか否かを判定する。取得した作業文書ＩＤが１つ以上登録されていると、作成文書が１つ以上登録されていると判定して、ステップＢ９に進む。取得した作業文書ＩＤが１つ以上登録されていないと、作成文書が１つ以上登録されていないと判定して、ステップＢ１２に進む。
【００９２】
ステップＢ９では、作成文書の登録状況を取得する。具体的には、取得した作業文書ＩＤの登録状況を作成文書テーブル２５から取得する。ステップＢ１０では、作成文書の登録状況がすべて登録済みか否かを判定する。取得した作業文書ＩＤの登録状況がすべて「１」であると、作成文書の登録状況がすべて登録済みであると判定して、ステップＢ１２に進む。取得した作業文書ＩＤの登録状況がすべて「０」であると、作成文書の登録状況がすべて登録済みでないと判定して、ステップＢ１１に進む。
【００９３】
表示ステップであるステップＢ１１では、作成文書の登録状況が未登録である作成文書を表示して、未登録文書表示処理を終了する。具体的には、取得した作業文書ＩＤの登録状況が「０」である作成文書の作成文書名を表示して、未登録文書表示処理を終了する。
【００９４】
ステップＢ１２では、次の順序の作業ステップを取得して、ステップＢ５に戻る。具体的には、ステップＢ２で取得した作業ステップ情報が示す作業ステップＩＤのうち、次の順序の作業ステップＩＤを取得して、ステップＢ５に戻る。ステップＢ２〜ステップＢ１０およびステップＢ１２は、抽出ステップである。
【００９５】
ステップＢ１３では、作業ステップが未登録である旨のメッセージを作業ステップ未登録通知ダイアログ３６に表示し、作業ステップ未登録通知ダイアログ３６で「閉じる」ボタン３６２が押下されると、処理を未登録文書表示終了する。
【００９６】
このように、作業を支援するための作業支援情報を表示するにあたって、作業ステップ情報記憶部１１、作業方法記憶部１３および作業項目成果情報書式記憶部１４によって、プロジェクトを表すプロジェクト情報と、時系列に実行すべき順序が付与された複数の工程からなる作業の作業ステップをプロジェクトごとに表す作業ステップ情報と、各作業ステップで行われる作業の作業項目で作成すべき作成文書を作業項目ごとに表す作成文書情報と、各作業項目での作業の作業手順を作業項目ごとに表す作業手順情報と、作成された作成文書である成果物が登録されていることを作成文書ごとに表す登録状況とが記憶される。
【００９７】
そして、優先作業表示部１６によって、作業ステップ情報記憶部１１に記憶されるプロジェクト情報が示すプロジェクトの中から、１つのプロジェクトが選択され、優先作業表示部１６によって、優先作業表示部１６によって１つのプロジェクトが選択されたとき、作業方法記憶部１３および作業項目成果情報書式記憶部１４に記憶される作成文書情報および作業手順情報のうち、作業項目成果情報書式記憶部１４に記憶される登録状況が登録されていることを示していない作成文書についての作成文書情報および作業手順情報の中から、作業ステップ情報記憶部１１に記憶される作業ステップ情報が示す作業ステップで、かつ優先作業表示部１６によって選択されたプロジェクトの作業ステップのうち、時系列に実行すべき順序が最も早い作業ステップで行われる作業項目で作成すべき作成文書の作成文書情報およびその作業項目での作業手順の作業手順情報が抽出され、優先作業表示部１６によって、優先作業表示部１６よって抽出された作成文書情報および作業手順情報が作業支援情報として表示される。
【００９８】
したがって、各作業項目で作成すべき作成文書および作業項目での作業手順を表示することができる。
【００９９】
さらに、作業を支援するための作業支援情報を表示するにあたって、図２１の示したフローチャートのステップＢ１では、プロジェクトを表すプロジェクト情報と、時系列に実行すべき順序が付与された複数の工程からなる作業の作業ステップをプロジェクトごとに表す作業ステップ情報と、各作業ステップで行われる作業の作業項目で作成すべき作成文書を作業項目ごとに表す作成文書情報と、各作業項目での作業の作業手順を作業項目ごとに表す作業手順情報と、作成された作成文書である成果物が登録されていることを作成文書ごとに表す登録状況とを記憶する作業ステップ情報記憶部１１、作業方法記憶部１３および作業項目成果情報書式記憶部１４に記憶されるプロジェクト情報が示すプロジェクトの中から、１つのプロジェクトを選択する。
【０１００】
図２１の示したフローチャートのステップＢ２〜ステップＢ１０およびステップＢ１２では、図２１の示したフローチャートのステップＢ１で１つのプロジェクトが選択されると、作業方法記憶部１３および作業項目成果情報書式記憶部１４に記憶される作成文書情報および作業手順情報のうち、作業項目成果情報書式記憶部１４に記憶される登録状況が登録されていることを示していない作成文書についての作成文書情報および作業手順情報の中から、作業ステップ情報記憶部１１に記憶される作業ステップ情報が示す作業ステップで、かつ図２１の示したフローチャートのステップＢ１で選択されたプロジェクトの作業ステップのうち、時系列に実行すべき順序が最も早い作業ステップで行われる作業項目で作成すべき作成文書の作成文書情報およびその作業項目での作業手順の作業手順情報を抽出する。
【０１０１】
そして、図２１の示したフローチャートのステップＢ１１では、図２１の示したフローチャートのステップＢ２〜ステップＢ１０およびステップＢ１２で抽出された作成文書情報および作業手順情報を作業支援情報として表示する。したがって、本発明に係る作業支援情報表示方法を適用すれば、各作業項目で作成すべき作成文書および作業項目での作業手順を表示することができる。
【０１０２】
上述した実施の形態では、作成文書の作成文書名を表示したが、さらに作成文書のフォーマットをも表示して利用可能にしてもよい。具体的には、作業項目成果情報書式記憶部１４に記憶する作成文書テーブル２５にフォーマットを作成文書ごとに表すフォーマット情報を追加して記憶しておき、そのフォーマット情報を表示可能とする。
【０１０３】
図２２は、フォーマットアドレスが追加された作成文書テーブル２６の一例を示す図である。作成文書テーブル２６は、図１０に示した作成文書テーブル２５の代わりに用いられるテーブルであり、作成文書テーブル２５に「フォーマットアドレス」の項目を追加したものである。他の項目は、図１０に示した項目と同じ項目であるので、重複を避けるために説明は省略する。「フォーマットアドレス」は、作成文書名が示す作成文書のフォーマットを表すフォーマット情報を記憶する記憶装置のメモリアドレスを示す。
【０１０４】
図２３は、登録が行われた作成文書テーブル２６の一例を示す図である。作成文書ＩＤ「１」〜「５」のうち作成文書ＩＤ「１」の「登録状況」、「作成文書アドレス」および「フォーマットアドレス」のみが、図２２に示した作成文書テーブル２６から更新されている。具体的には、「登録状況」が「１」に更新され、「作成文書アドレス」に「Ｃ：￥ｄｏｃ￥製品仕様書．ｄｏｃ」および「フォーマットアドレス」に「Ｃ：￥ｆｏｒｍａｔ￥製品仕様書＿フォーマット．ｄｏｃ」と記載されている。
【０１０５】
図２４は、作成文書テーブル２６を用いる場合の未登録作成文書ダイアログ３８の一例を示す図である。未登録作成文書ダイアログ３８は、図１９に示した未登録作成文書ダイアログ３７の代わりに用いられるダイアログであり、未登録作成文書ダイアログ３７にフォーマット取得ボタン３８１を追加したものである。フォーマット取得ボタン３８１は、フォーマット情報を取得する操作ボタンである。
【０１０６】
優先作業表示部１６は、未登録作成文書ダイアログ３８に表示されるフォーマット取得ボタン３８１が押下されると、未登録の作成文書一覧の中から選択された作成すべき作成文書のフォーマットを表すフォーマット情報を、作成文書テーブル２６の「フォーマットアドレス」が示す記憶装置のメモリアドレスから読み出して、ディスプレイに表示し、作成文書のフォーマットとして利用可能にする。
【０１０７】
このように、作業項目成果情報書式記憶部１４によって、作成文書のフォーマットを作成文書ごとに表すフォーマット情報がさらに記憶され、優先作業表示部１６によって、作成文書情報が表示されるとき、その作成文書情報が示す作成文書のフォーマット情報とともに表示されるので、規定のフォーマットがあるものはそのフォーマットを利用することができる。
【０１０８】
上述した実施の形態では、優先作業表示部１６は、作業ステップのうちで早く作業を行う作業ステップから優先して、未登録の作成文書一覧を表示したが、作業ステップを選択可能にし、選択された作業ステップの未登録の作成文書一覧を表示してもよい。
【０１０９】
具体的には、選択手段、抽出手段、表示手段および作業工程選択手段である優先作業表示部１６は、図１９に示した未登録文書表示処理の処理手順を示すフローチャートのステップＢ４において、ステップＢ２で取得した作業ステップ情報が示す作業ステップＩＤのうち順序が最も早い作業ステップＩＤを取得し、あるいは、ステップＢ１２においてステップＢ２で取得した作業ステップ情報が示す作業ステップＩＤのうち、次の順序の作業ステップＩＤを取得し、取得した作業ステップＩＤの作業ステップについて未登録の作成文書一覧を表示したが、作業ステップを自動的に取得する代わりに、図２５に示す未登録作成文書ダイアログ３９を表示して、ユーザに作業ステップを選択させ、ユーザによって選択された作業ステップについて未登録の作成文書一覧を表示する。
【０１１０】
図２５は、作業ステップの選択を可能とした未登録作成文書ダイアログ３９の一例を示す図である。未登録作成文書ダイアログ３９は、図１９に示した未登録作成文書ダイアログ３７の代わりに用いられるダイアログであり、未登録作成文書ダイアログ３７に作業ステップ選択欄３９１を追加したものである。作業ステップ選択欄３９１は、作業ステップを選択するための選択欄であり、「作業ステップ」と付記され、プルダウンメニューになっている。ユーザは、プルダウンメニューから所望の作業ステップを選択することができる。図２５に示した未登録作成文書ダイアログ３９の作業ステップ選択欄３９１では「デザイン」が選択されている。
【０１１１】
図２６は、他の作業ステップが選択された未登録作成文書ダイアログ３９の一例を示す図である。図２６に示した未登録作成文書ダイアログ３９の作業ステップ選択欄３９１では「設計」が選択され、未登録文書表示欄３９２には、作業ステップ「設計」について３個の作成すべき文書が示されている。作業項目「強度計算」について、作成すべき文書「強度計算結果」および「リブ配置図面」が示され、作業項目「３次元ＣＡＤ設計」について、「設計図面」が示されている。
【０１１２】
このように、優先作業表示部１６によって、優先作業表示部１６によって１つのプロジェクトが選択されたとき、作業ステップ情報記憶部１１に記憶される作業ステップ情報が示す作業ステップで、かつ優先作業表示部１６によって選択されたプロジェクトの作業ステップの中から、１つの作業ステップが選択され、優先作業表示部１６によって、優先作業表示部１６によって作業ステップが選択された場合は、作業方法記憶部１３および作業項目成果情報書式記憶部１４に記憶される作成文書情報および作業手順情報のうち、作業項目成果情報書式記憶部１４に記憶される登録状況が登録されていることを示していない作成文書についての作成文書情報および作業手順情報の中から、優先作業表示部１６によって選択された作業ステップで行われる作業項目で作成すべき作成文書の作成文書情報およびその作業項目での作業手順の作業手順情報が抽出される。
【０１１３】
したがって、ユーザが所望する作業ステップでの作成文書および作業手順を表示することができる。
【０１１４】
上述した実施の形態では、成果物である作成された作成文書が更新されたとき、変更前の作成文書を削除し、最新の作成文書のみを保存しているが、変更前の作成文書を更新情報である版で管理し、版ごとに作成文書を保存してもよい。具体的には、作業項目成果情報記録部１５は、図１０に示した作成文書テーブル２５の代わりに、作成文書テーブル２７および作成文書版管理テーブル２８を用いる。
【０１１５】
図２７は、作成文書テーブル２７の一例を示す図である。作成文書テーブル２７は、作成文書テーブル２５から作成文書アドレスを削除したテーブルである。
【０１１６】
図２８は、作成文書版管理テーブル２８の一例を示す図である。作成文書版管理テーブル２８は、作成文書テーブル２７に対応して作成されるテーブルであり、「作成文書ＩＤ」、「版番号」および「作成文書アドレス」の項目を含む。「作成文書ＩＤ」は、作成文書テーブル２７の「作成文書ＩＤ」に対応する「作成文書ＩＤ」である。「版番号」は、作成文書ごとに付与される来歴管理のための数字であり、作成文書ＩＤごとに「１」から順番に付される自然数で表される。「作成文書アドレス」は、各版の作成文書を記憶する記憶装置のメモリアドレスである。
【０１１７】
図２８に示した作成文書版管理テーブル２８には、作成文書ＩＤ「１」の作成文書について２つの版の作成文書か登録され、作成文書ＩＤ「２」の作成文書について３つの版の作成文書か登録されている。作成文書ＩＤ「１」の版番号「１」には、作成文書アドレス「Ｃ：￥ｄｏｃ￥１＿１．ｄｏｃ」が示され、作成文書ＩＤ「１」の版番号「２」には、作成文書アドレス「Ｃ：￥ｄｏｃ￥１＿２．ｄｏｃ」が示され、作成文書ＩＤ「２」の版番号「１」には、作成文書アドレス「Ｃ：￥ｄｏｃ￥２＿１．ｄｏｃ」が示され、作成文書ＩＤ「２」の版番号「２」には、作成文書アドレス「Ｃ：￥ｄｏｃ￥２＿２．ｄｏｃ」が示され、作成文書ＩＤ「２」の版番号「３」には、作成文書アドレス「Ｃ：￥ｄｏｃ￥２＿３．ｄｏｃ」が示されている。
【０１１８】
作成文書テーブル２７と作成文書版管理テーブル２８とは、「１対多」の関係であり、作成文書テーブル２７に含まれる作成文書ＩＤのうちの１つの作成文書ＩＤについて、少なくとも１つの版番号がある。すなわち、１つの作成文書について少なくとも１つの版がある。
【０１１９】
図２９は、作業項目成果情報記録部１５が実行する第２の作成文書登録処理の処理手順を示すフローチャートである。第２の作成文書登録処理は、文書を版ごとに管理するように、図２０に示した作成文書登録処理を変更した処理である。メインメニューから成果物登録のメニューが選択されると、ステップＣ１に移る。ステップＣ１〜ステップＣ１１は、それぞれ図２０に示した作成文書登録処理のステップＡ１〜ステップＡ１０およびステップＡ１２と同じ処理であり、重複を避けるために説明を省略する。
【０１２０】
ステップＣ１２では、作成文書テーブル２５の登録状況が「０」の場合は、作成文書テーブル２７の登録状況を「１」とし、作成文書版管理テーブル２８の版番号を「１」とし、作成文書のファイルを記憶した記憶装置のメモリアドレスを作成文書版管理テーブル２８の作成文書アドレスに記憶して登録し、作成文書登録処理を終了する。
【０１２１】
作成文書テーブル２５の登録状況が「１」の場合は、同じ作成文書についてすでに作成文書版管理テーブル２８に登録されている版番号のうち最大の値に「１」を加算した値を、その作成文書の作成文書版管理テーブル２８の版番号として登録し、作成文書のファイルを記憶した記憶装置のメモリアドレスを、作成文書版管理テーブル２８の作成文書アドレスに記憶して登録し、作成文書登録処理を終了する。
【０１２２】
このように、作業項目成果情報記録部１５によって、作成された作成文書の更新の回数を表わす版が、作成された作成文書を表す成果物情報と対応付けて作業項目成果情報書式記憶部１４に記憶されるので、更新前の作成された作成文書についても閲覧することができる。
【図面の簡単な説明】
【０１２３】
【図１】本発明の実施の一形態である作業方法表示装置１の構成を示すブロック図である。
【図２】プロジェクトテーブル２１のデータ構造２１ａと作業ステップテーブル２２のデータ構造２２ａとの対応関係を示す図である。
【図３】プロジェクトテーブル２１の一例を示す図である。
【図４】作業ステップテーブル２２の一例を示す図である。
【図５】作業項目テーブル２３のデータ構造２３ａを示す図である。
【図６】作業項目テーブル２３の一例を示す図である。
【図７】作業手順書テーブル２４のデータ構造２４ａを示す図である。
【図８】作業手順書テーブル２４の一例を示す図である。
【図９】作成文書テーブル２５のデータ構造２５ａを示す図である。
【図１０】作成文書テーブル２５の一例を示す図である。
【図１１】登録が行われた作成文書テーブル２５の一例を示す図である。
【図１２】各テーブルの対応関係を示す図である。
【図１３】作業項目成果情報記録部１５によって表示される投稿ダイアログ３１の一例を示す図である。
【図１４】参照ボタン３１３の押下によって表示される作成文書参照ダイアログ３２の一例を示す図である。
【図１５】ファイル名が入力された投稿ダイアログ３３の一例を示す図である。
【図１６】作業項目成果情報記録部１５によって表示される上書き確認ダイアログ３４の一例を示す図である。
【図１７】作業項目成果情報記録部１５によって表示される登録中止通知ダイアログ３５の一例を示す図である。
【図１８】優先作業表示部１６によって表示される作業ステップ未登録通知ダイアログ３６の一例を示す図である。
【図１９】優先作業表示部１６によって表示される未登録作成文書ダイアログ３７の一例を示す図である。
【図２０】作業項目成果情報記録部１５が実行する作成文書登録処理の処理手順を示すフローチャートである。
【０１２４】
【図２１】優先作業表示部１６が実行する未登録文書表示処理の処理手順を示すフローチャートである。
【図２２】フォーマットアドレスが追加された作成文書テーブル２６の一例を示す図である。
【図２３】登録が行われた作成文書テーブル２６の一例を示す図である。
【図２４】作成文書テーブル２６を用いる場合の未登録作成文書ダイアログ３８の一例を示す図である。
【図２５】作業ステップの選択を可能とした未登録作成文書ダイアログ３９の一例を示す図である。
【図２６】他の作業ステップが選択された未登録作成文書ダイアログ３９の一例を示す図である。
【図２７】作成文書テーブル２７の一例を示す図である。
【図２８】作成文書版管理テーブル２８の一例を示す図である。
【図２９】作業項目成果情報記録部１５が実行する第２の作成文書登録処理の処理手順を示すフローチャートである。
【符号の説明】
【０１２５】
１  作業方法表示装置
１１  作業ステップ情報記憶部
１２  作業項目記憶部
１３  作業方法記憶部
１４  作業項目成果情報書式記憶部
１５  作業項目成果情報記録部
１６  優先作業表示部
１７  作業方法表示部
２１  プロジェクトテーブル
２２  作業ステップテーブル
２３  作業項目テーブル
２４  作業手順書テーブル
２５〜２７  作成文書テーブル
２８  作成文書版管理テーブル
【図１】
2009064347.tif 000003
【図２】
2009064347.tif 000004
【図３】
2009064347.tif 000005
【図４】
2009064347.tif 000006
【図５】
2009064347.tif 000007
【図６】
2009064347.tif 000008
【図７】
2009064347.tif 000009
【図８】
2009064347.tif 000010
【図９】
2009064347.tif 000011
【図１０】
2009064347.tif 000012
【図１１】
2009064347.tif 000013
【図１２】
2009064347.tif 000014
【図１３】
2009064347.tif 000015
【図１４】
2009064347.tif 000016
【図１５】
2009064347.tif 000017
【図１６】
2009064347.tif 000018
【図１７】
2009064347.tif 000019
【図１８】
2009064347.tif 000020
【図１９】
2009064347.tif 000021
【図２０】
2009064347.tif 000022
【図２１】
2009064347.tif 000023
【図２２】
2009064347.tif 000024
【図２３】
2009064347.tif 000025
【図２４】
2009064347.tif 000026
【図２５】
2009064347.tif 000027
【図２６】
2009064347.tif 000028
【図２７】
2009064347.tif 000029
【図２８】
2009064347.tif 000030
【図２９】
2009064347.tif 000031